(57)【特許請求の範囲】
【請求項１】
複数枚の原稿が積載される原稿積載部と、
該原稿積載部に積載された原稿を、最上部から分離して給紙する原稿給紙部と、
該原稿給紙部により給紙された原稿の画像を読み取る読取部上で、原稿を搬送する原稿搬送部と、
前記原稿搬送部よりも下流側にあり、原稿を反転排紙する原稿反転排紙部と、
画像が読み取られ、前記原稿反転排紙部によって反転排紙された原稿が再積載される原稿再積載部と、を備え、
前記原稿反転排紙部は、該原稿反転排紙部から原稿を排出する第１の搬送手段と、前記読取部の端部を始点として前記第１の搬送手段を経て前記読取部の端部に至る第１の原稿搬送パスと、該第１の原稿搬送パスから分岐して前記第１の搬送手段に至る第２の原稿搬送パスと、前記第１の原稿搬送パス内の原稿を搬送方向の上流、下流のいずれに搬送可能な第２の搬送手段と、前記読取部上での画像読み取りが終了した原稿を、前記第１の原稿搬送パスに沿って下流に搬送し、原稿後端が前記第１と第２の原稿搬送パスの分岐部から下流に搬送した所で原稿を逆方向に搬送し、前記第２の原稿搬送パスを経て前記原稿再積載部に積載するように制御する制御手段と、を備え、
前記原稿反転排紙部で先行原稿の反転中に、前記読取部で後行原稿の原稿読み取りを可能にしたことを特徴とする原稿搬送装置。
【請求項２】
前記原稿搬送部と、前記第１と第２の搬送手段とを独立して駆動可能な駆動手段を有し、
前記原稿搬送部での原稿搬送が停止中に前記第１と第２の搬送手段により原稿を搬送することを特徴とする請求項１に記載の原稿搬送装置。
【請求項３】
前記第１の原稿搬送パスの長さが、少なくとも、搬送可能な最小原稿長さよりも長いことを特徴とする請求項１に記載の原稿搬送装置。
【請求項４】
前記読取部の端部にて前記第１の原稿搬送パスと分岐し、前記読取部の端部から前記第１の搬送手段を経由し、前記原稿再積載部へつながる第３の原稿搬送パスと、
前記読取部の端部と前記第１及び第３の原稿搬送パスとの間に位置し、前記読取部から下流への原稿搬送パスを、前記第１又は第３の原稿搬送パスのいずれかを選択可能な偏向手段と、
を備えることを特徴とする請求項１に記載の原稿搬送装置。
【請求項５】
前記第３の原稿搬送パスが、前記第１の原稿搬送パスの一部分であることを特徴とする請求項４に記載の原稿搬送装置。
【請求項６】
複数枚の原稿が積載される原稿積載部と、
該原稿積載部に積載された原稿を、最上部から分離して給紙する原稿給紙部と、
該原稿給紙部により給紙された原稿の画像を読み取る読取部上で、原稿を搬送する原稿搬送部と、
前記原稿搬送部よりも下流側にあり、原稿を反転排紙する原稿反転排紙部と、
画像が読み取られ、前記原稿反転排紙部によって反転排紙された原稿が再積載される原稿再積載部と、を備え、
前記原稿反転排紙部は、
該原稿反転排紙部から原稿を排出する第１の搬送手段と、
前記原稿搬送部と前記第１の搬送手段との間にあって、前記原稿搬送部から排出される原稿の一部分を装置本体外に排出する第３の搬送手段と、
前記原稿搬送部の端部から前記第３の搬送手段を介し前記第１の搬送手段へ原稿を導く第４の原稿搬送パスと、
前記原稿搬送部の端部にて前記第４の原稿搬送パスと分岐し、前記原稿搬送部の端部から前記第１の搬送手段に原稿を導く第５の原稿搬送パスと、
前記原稿搬送部から排出される原稿を、前記第４の原稿搬送パスと前記第５の原稿搬送パスとに分岐する分岐手段と、
前記原稿搬送部から排出される原稿を前記第３の搬送手段により装置本体外に一部分を排出し、該原稿を前記第３の搬送手段により前記第１の搬送手段へ搬送して前記原稿再積載部に排出させるように制御する前記制御手段と、を備え、
前記原稿反転排紙部で先行原稿の反転中に、前記読取部で後行原稿の原稿読み取りを可能にしたことを特徴とする原稿搬送装置。
【請求項７】
請求項１ないし６に記載の原稿搬送装置と、該原稿搬送装置により給紙された原稿の画像情報に基づいて、画像を形成する画像形成手段と、を備えることを特徴とする画像形成装置。
【発明の詳細な説明】
【０００１】
【発明の属する技術分野】
本発明は、原稿搬送装置に係り、詳細には、例えば、複写機、ファクシミリ、イメージリーダ等の画像読み取り部に原稿を自動給紙する原稿搬送装置に関するものである。
【０００２】
【従来の技術】
従来、複写機、ファクシミリ、イメージリーダ等の画像読み取り部に、原稿を、先頭ページ又はラストページから自動給紙する原稿搬送装置は、次のようなものがあった。これを、図４により説明する。
【０００３】
従来、ファクシミリと原稿複写（コピー）は、原稿束を処理するページ順は、その使い勝手からして次のように異なっている。
【０００４】
ファクシミリ；先頭ページから順次送信する（受信者が１ページ目から読めるようにするため）。
【０００５】
コピー；ラストページから順次コピーする（排紙トレイ上で原稿束と同じ順番に積載させるため）。
【０００６】
しかしながら、近年デジタル方式を用いたファクシミリと、コピーとの複合機が開発されてきており、このような機種で原稿処理を行い、なおかつ、ファクシミリで先頭ページ送り、コピーではラストページ送りをするには、次のような構成が必要となっていた。
【０００７】
構成の一例として、図４に示す装置があり、これを説明する。図中の上部の２点鎖線内は、従来方式の原稿搬送装置、下部の２点鎖線内は、デジタル方式の複合型（ファクシミリとコピー）画像形成装置の各々概念図である。この装置においては、原稿Ｄはユーザの使用上の混乱を避けるために、ファクシミリ、コピーのどちらの場合も、原稿面を上向き（以降フェイスアップと称する）で積載し、ラストページから順に画像読み取り部へ原稿を送り、順次原稿を読み取ってゆく。そして、コピーの場合は、そのままの順番でコピーしてゆく。ファクシミリの場合は、全ページの情報を一旦メモリーに蓄えた後、先頭ページから順に送信してゆく。この一連の動作を図４で順番に説明する。
【０００８】
まず、原稿Ｄ１は、画像を処理するために、ファクシミリ、コピーどちらの場合もフェイスアップで原稿トレイ３０１上に積載される。ピックアップローラ３１５は、重りローラ３０２から原稿Ｄ１を加圧され、原稿束の最下紙から順に搬送してゆく。３１６は束重送を防ぐためのプレ分離板である。３０４はフィードローラ、３０３は図示せぬトルクリミッタを介して駆動伝達を受けているリタードローラであり、このローラ対３０３，３０４対によるリタード方式によって、原稿は１枚に分離されて搬送される。
【０００９】
３０５ａ、３０５ｂはレジストローラ対であり、原稿Ｄ1 をタイミングを合わせてプラテン３０９の上に搬送さする。３０８は原稿搬送ベルトであって、ベルト駆動ローラ３０７，アイドラローラ３０６に架橋され、矢印方向に駆動されるようになっている。原稿搬送ベルト３０８は、原稿Ｄ1 をプラテン３０９の所定位置で一旦停止させる。ここで、ハロゲンランプ３１０ａ、反射笠３１０ｂ、反射ミラー３１０ｃからなるスキャナユニット３１０が移動して原稿を露光し、最大原稿幅分に並んでいるＣＣＤ３２０により画像情報が読み取られる。
【００１０】
ファクシミリの場合、この情報は一旦、メモリ３３０に蓄えられた後、先頭原稿から順番に並び換えて送信してゆく。コピーの場合、メモリーを介さず、情報を直接レーザドライバ３４０に送り込み、画像情報を読み取った順番に図示せぬ感光体ドラム上に潜像を書き込んでゆく。
【００１１】
読み取りが終了した原稿は、再び原稿搬送ベルト３０８，搬送コロ３１１を介して、原稿排紙トレイ３１１上に積載されてゆく。
【００１２】
【発明が解決しようとする課題】
しかしながら、従来の原稿搬送装置は、プラテンの横に、読み取り後の原稿を再積載するための、原稿積載部を設ける必要がある。このため、画像読み取り部側の装置幅から原稿積載部がはみだしてしまうことが多く、より広い設置スペースが必要になる。
【００１３】
また、画像読み取り部側の装置の側部には、ジャム処理用の扉、マルチ手差し等があることが多く、これらが原稿積載部の下に配置されると、ユーザの視認性、操作性が低下するので、改良されることが望まれる。
【００１４】
本発明は、原稿束の上分離されて給紙される原稿を、画像読み取り部で読み取る最中に、先行原稿を独立して反転排紙可能にして、装置の省スペース化、及び効率化を図った原稿搬送装置を提供することを目的とするものである。
【００１５】
【課題を解決するための手段】
請求項１に係る発明は、複数枚の原稿が積載される原稿積載部と、
該原稿積載部に積載された原稿を、最上部から分離して給紙する原稿給紙部と、
該原稿給紙部により給紙された原稿の画像を読み取る読取部上で、原稿を搬送する原稿搬送部と、
前記原稿搬送部よりも下流側にあり、原稿を反転排紙する原稿反転排紙部と、
画像が読み取られ、前記原稿反転排紙部によって反転排紙された原稿が再積載される原稿再積載部と、を備え、
前記原稿反転排紙部は、該原稿反転排紙部から原稿を排出する第１の搬送手段と、前記読取部の端部を始点として前記第１の搬送手段を経て前記読取部の端部に至る第１の原稿搬送パスと、該第１の原稿搬送パスから分岐して前記第１の搬送手段に至る第２の原稿搬送パスと、前記第１の原稿搬送パス内の原稿を搬送方向の上流、下流のいずれに搬送可能な第２の搬送手段と、前記読取部上での画像読み取りが終了した原稿を、前記第１の原稿搬送パスに沿って下流に搬送し、原稿後端が前記第１と第２の原稿搬送パスの分岐部から下流に搬送した所で原稿を逆方向に搬送し、前記第２の原稿搬送パスを経て前記原稿再積載部に積載するように制御する制御手段と、を備え、
前記原稿反転排紙部で先行原稿の反転中に、前記読取部で後行原稿の原稿読み取りを可能にしたことを特徴とする。
【００１７】
請求項２に係る発明は、前記原稿搬送部と、前記第１と第２の搬送手段とを独立して駆動可能な駆動手段を有し、
前記原稿搬送部での原稿搬送が停止中に前記第１と第２の搬送手段により原稿を搬送することを特徴とする。
【００１８】
請求項３に係る発明は、前記第１の原稿搬送パスの長さが、少なくとも、搬送可能な最小原稿長さよりも長いことを特徴とする。
【００１９】
請求項４に係る発明は、前記読取部の端部にて前記第１の原稿搬送パスと分岐し、前記読取部の端部から前記第１の搬送手段を経由し、前記原稿再積載部へつながる第３の原稿搬送パスと、
前記読取部の端部と前記第１及び第３の原稿搬送パスとの間に位置し、前記読取部から下流への原稿搬送パスを、前記第１又は第３の原稿搬送パスのいずれかを選択可能な偏向手段と、
を備えることを特徴とする。
【００２０】
請求項５に係る発明は、前記第３の原稿搬送パスが、前記第１の原稿搬送パスの一部分であることを特徴とする。
【００２１】
請求項６に係る発明は、複数枚の原稿が積載される原稿積載部と、
該原稿積載部に積載された原稿を、最上部から分離して給紙する原稿給紙部と、
該原稿給紙部により給紙された原稿の画像を読み取る読取部上で、原稿を搬送する原稿搬送部と、
前記原稿搬送部よりも下流側にあり、原稿を反転排紙する原稿反転排紙部と、
画像が読み取られ、前記原稿反転排紙部によって反転排紙された原稿が再積載される原稿再積載部と、を備え、
前記原稿反転排紙部は、
該原稿反転排紙部から原稿を排出する第１の搬送手段と、
前記原稿搬送部と前記第１の搬送手段との間にあって、前記原稿搬送部から排出される原稿の一部分を装置本体外に排出する第３の搬送手段と、
前記原稿搬送部の端部から前記第３の搬送手段を介し前記第１の搬送手段へ原稿を導く第４の原稿搬送パスと、
前記原稿搬送部の端部にて前記第４の原稿搬送パスと分岐し、前記原稿搬送部の端部から前記第１の搬送手段に原稿を導く第５の原稿搬送パスと、
前記原稿搬送部から排出される原稿を、前記第４の原稿搬送パスと前記第５の原稿搬送パスとに分岐する分岐手段と、
前記原稿搬送部から排出される原稿を前記第３の搬送手段により装置本体外に一部分を排出し、該原稿を前記第３の搬送手段により前記第１の搬送手段へ搬送して前記原稿再積載部に排出させるように制御する前記制御手段と、を備え、
前記原稿反転排紙部で先行原稿の反転中に、前記読取部で後行原稿の原稿読み取りを可能にしたことを特徴とする。
【００２２】
［作用］
以上構成に基づき、原稿を、原稿積載部から原稿給紙部、原稿搬送部へ搬送し、画像読み取り部上で停止させて画像を読み取った後に、原稿搬送部により原稿反転部まで搬送し、反転した後に、原稿搬送部の上方にある原稿再積載部に排出する。これにより、原稿束を上分離給紙した状態で、排出原稿のページ順が変わらないようにし、かつ、装置の側部に原稿再積載部が出っ張らない原稿搬送装置を実現することができる。
【００２３】
また、原稿搬送部と、原稿反転排紙部の第１と第２の搬送手段とは、それぞれ独立した駆動手段により駆動されることで、画像読み取り終了後の原稿を原稿反転排紙部で反転している間に、次の原稿を画像読み取り部で停止させて読み取ることができ、原稿交換時間が短縮されて、装置の生産性が向上される。
【００２４】
また、原稿を反転排出するときに、原稿の搬送方向長さよりも、原稿搬送部から移送手段に至る長い原稿搬送パス長さを確保しておくか、または、原稿の一部を反転排紙から装置外に出して、これをスイッチバックして再び装置内部に取り込まれる。
【００２５】
原稿の一部を反転排紙から装置外に出す方法は、反転排紙部の搬送パス長が必要最小限で済み、装置の小型化という長所があり、反転排紙の周囲に原稿を一時的に出しておける空間がない場合には、装置内部に原稿搬送パスが設けられる。
【００２６】
【発明の実施の形態】
〈実施の形態１〉
本発明の実施の形態１を図面に沿って説明する。なお、図４に示す画像形成装置は、本発明が適用可能であるので、これの図示及び説明は省略する。
【００２７】
図３は、本発明が適用可能な画像形成装置装置本体の一例を示している。
【００２８】
画像形成装置本体（複写機本体）９００には、原稿載置台としてのプラテン９０６、光源９０７、レンズ系９０８、給紙部９０９、画像形成部９０２，原稿をプラテン９０６に給送する原稿搬送装置８００等が備えられている。
【００２９】
給紙部９０９は、記録用のシートＳを収納して装置本体９００に着脱自在なカセット９１０，９１１、及びペディスタル９１２に配置されたデッキ９１３を有している。画像形成部（画像形成手段）９０２には、円筒状の感光ドラム９１４とその回りの現像器９１５、転写用帯電器９１６、分離帯電器９１７、クリーナ９１８、一次帯電器９１９等がそれぞれ備えられている。画像形成部９０２の下流側には、搬送装置９２０、定着装置９０４、排出ローラ対９０５等が配設されている。
【００３０】
この画像形成装置本体の動作を説明する。
【００３１】
装置本体９００側に設けられている制御装置（制御手段）９３０から給紙信号が出力されると、カセット９１０，９１１またはデッキ９１３からシートＳが給送される。一方、プラテン９０６に載置されている原稿Ｄに、光源９０７から当てられて反射した光は、レンズ系９０８を介して感光ドラム９１４に照射される。感光ドラム９１４は、あらかじめ一次帯電器９１９により帯電されていて、光が照射されることによって静電潜像が形成され、次いで現像器９１５により静電潜像を現像してトナー像が形成される。
【００３２】
給紙部９０９から給送されたシートＳは、レジストローラ９０１で斜行が補正され、さらにタイミングが合わされて画像形成部９０２へ送られる。画像形成部９０２では、感光ドラム９１４のトナー像が、送られてきたシートＳに転写用帯電器９１６によって転写され、トナー像が転写されたシートＳは、分離帯電器９１７によって転写用帯電器９１６と逆極性に帯電されて、感光ドラム９１４から分離される。
【００３３】
そして、分離されたシートＳは、搬送装置９２０により定着装置９０４に搬送されて、定着装置９０４によりシートＳに転写画像が永久定着される。画像が定着されたシートＳは、排出ローラ対（シート排出手段）９０５により装置本体９００から排出される。
【００３４】
上記複画像形成装置本体９００は、プラテン９０６上の原稿の画像を感光ドラム９１４に直接形成するアナログ複写機としての機能しているが、この画像形成装置本体９００に、図４に示す画像形成装置を組み込むことで、画像形成装置本体９００は、ファクシミリ、複写機の多機能化した画像形成装置とすることができる。
【００３５】
次に、本発明に係る原稿搬送装置を図面に沿って説明する。図１は、本発明による原稿搬送装置の主断面図である。
【００３６】
Ａは原稿積載部であって、原稿トレイ１の積載面１ａに、原稿ｄをセットするものである。
【００３７】
Ｂは原稿給紙部で、摩擦分離方式で、原稿束の最上紙を１枚づつ分離し、レジストローラにて原稿ｄを搬送してゆくものである。
【００３８】
３はピックアップローラ、６は中板である。原稿ｄを１枚給紙する毎に、ピックアップローラ３が原稿束の上に下降し、中板６が上昇して原稿束を給紙ローラ４に押圧して給紙予備動作に入る。
【００３９】
その後、モータＭ１を駆動源として、給紙ローラ４とピックアップローラ３がＣＷに回転し、原稿ｄを搬送する。最上紙につれて送られようとする２枚目以降の原稿は、摩擦片５により静止されて、原稿積載部Ａに留まる。その後、原稿は、ガイド板８ａ、８ｂ間を通り、レジストローラ対７ａ、７ｂに導かれる。レジストローラ対７ａ、７ｂは、原稿先端の到達時には停止しており、給紙ローラ４による搬送で、ループ形成して斜行補正をした後に、原稿ｄを原稿搬送部Ｃへ搬送する。
【００４０】
原稿搬送部Ｃは、搬送ベルト１１を、駆動ローラ１２，従動ローラ１４で張架し、ベルト押圧コロ１３ａ、１３ｂ、１３ｃ、１３ｄにて、搬送ベルト１１をプラテン（原稿読取部）１０に押圧するように構成されている。そして、モータＭ３で駆動ローラ１２が回転駆動を受けることにより、搬送ベルト１１は回動される。原稿ｄは、搬送ベルト１１とプラテン１０の間に進入すると、搬送ベルト１１の摩擦力によりプラテン１０の上を搬送される。原稿給紙部Ｂから原稿搬送部Ｃに進入した原稿ｄは、搬送ベルト１１によりプラテン１０の所定位置まで搬送されると、モータＭ３の停止に伴い停止し、原稿読み取り手段３０により画像が読み取られる。画像の読み取り終了後、モータＭ３の再駆動により原稿は図中右方向へ搬送され、ジャンプ台１５を経て、反転排紙部Ｄへ導入される。
【００４１】
ここで、後続原稿（後行原稿）がある場合、後続原稿は、搬送ベルト１１の回動により、先行原稿と同様にして所定位置まで搬送された後に、モータＭ３の停止に伴い停止し、原稿読み取り手段３０により読み取られる。この読み取り動作実行中に、先行原稿は、反転排紙部Ｄで、表裏反転され、原稿再積載部Ｅまで搬送される継続実行される。
【００４２】
次に、先行原稿の反転排紙部Ｄにおける反転排紙動作について説明する。
【００４３】
反転排紙部Ｄは、搬送手段として、反転ローラ（第１の搬送手段）１９，搬送ローラ（第２の搬送手段）２２ａをもち、この駆動源としてモータＭ２を有する。モータＭ２は、正転、逆転可能な構成をとっている。こうして、反転ローラ１９及び搬送ローラ２２ａは、モータＭ３で駆動される原稿搬送部Ｃとは、独立して駆動することが可能な構成になっている。
【００４４】
原稿ｄが、搬送ベルト１１により反転排出部Ｄに入るとき、その入口付近で紙の進行経路を規制する偏向板１６は、ソレノイドＳＬ２の制御により、図中実線の姿勢をとり、原稿ｄを偏向板（偏向手段）１６とガイド１７の間にある(b) 点方向の原稿搬送パスに導入する。原稿は、ＣＣＷに回動する反転ローラ１９と、コロ２０とにより挟持されて、ガイド２１ａ、２１ｂ間を通り、搬送ローラ対２２ａ、２２ｂで搬送され、ガイド２３ａ、２３ｂ間を通り、ポリエステルシート製のガイドシート２４にガイドされ、排紙コロ２５と反転ローラ１９のニップで搬送されてゆく（この、(a) →(b) →(c) →(d) →(e) →(f) →(a) のパスを第１の原稿パスと定義する）。
【００４５】
原稿後端がガイド１７，１８間を、抜けた地点である(g) 点まで到達すると、モータＭ２は逆転し、原稿ｄのスイッチバック搬送を開始する。ガイド１８の右上端部を、コロ２０のニップより右側に配置することにより、原稿ｄは、ガイド１８の左側に導入され、(h) ，(e) 点を通り、原稿再積載部Ｅへ排出される。ここで、(g) →(c) →(d) →(e) →(f) →(a) の紙パス長（原稿搬送パス長さ）Ｌを、この装置の原稿搬送方向最大長さｌ、よりも長く取っているために、本実施の形態の装置では、全てのサイズの原稿が、これまで説明したような後続原稿の読み取り動作中（すなわち、搬送ベルト１１の停止中）に、反転排紙動作ができるようになっている。
【００４６】
しかしながら、装置の大きさを大きくしたくもない場合等で、(g) →(c) →(d) →(e) →(f) →(a) のパス長ｌを十分に長く設定できないケースでは、例えば、主要サイズ（頻繁に使用されると考えられる原稿）の搬送方向長さより、ｌを若干長くしておき、それ以上のサイズの原稿は、生産性は低下するが、別の方法で反転排紙するのも効果的である。
【００４７】
この方法は、原稿ｄの搬送方向長さＬが、ｌより長い原稿の場合、反転排紙部の原稿搬送パス中に原稿が収まりきらないので、プラテン１０上の読み取り終了後の原稿を、(b) →(c) →(d) →(e) →(f) →(a) の経路で搬送し、原稿先端が搬送ベルト１１に到達する前に、モータＭ３を駆動して、駆動ローラ１２をＣＷに回転させておき、原稿先端が(a) に来たら、原稿をそのまま図中左方向に搬送する。その後、原稿後端が(e) を過ぎた地点で、モータＭ２，モータＭ３を逆方向に回転させることにより、原稿ｄを逆方向に搬送し、原稿は(e) 点から、原稿再積載部Ｅへ排紙される。
【００４８】
こうした方法を取ると、主要サイズ原稿の生産性は確保でき、その上、装置の著しい大型化を防ぐことができるので、バランスの取れた装置にすることができる。
【００４９】
次に、本実施例における両面原稿の搬送方法について説明する。
【００５０】
まず、給紙部Ｂから原稿搬送部Ｃへ取り込まれた原稿は、前記、片面原稿の場合と同様にして、プラテン１０の所定位置で停止し、原稿読み取り手段３０により、１面目画像が読み取られる。その後、モータＭ３，Ｍ２の駆動により、駆動ローラ１２がＣＣＷ、反転ローラ１９がＣＣＷに各々回転し、プラテン１０上の読み取り終了後の原稿ｄは、プラテン１０の上を図中右方向に移動する。
【００５１】
ここで、ソレノイドＳＬ２の制御により、偏向板１６は実線位置に設置される。これにより、原稿は、ジャンプ台１５から、反射排紙部Ｄに入り、(b) →(c) →(d) →(e) →(f) →(a) の経路で搬送される。ここで、反転後の原稿の原稿先端が、(a) 点に達する前に、モータＭ３を逆方向に回動方向を取り換え、駆動ローラ１２の回転はＣＷにされている。こうして、原稿先端が(a) 点に達すると、原稿は、搬送ベルト１０によりプラテン１０の上を、図中左方向へ搬送される。そして、原稿が所定位置で停止するようにモータＭ３を停止し、原稿読み取り手段３０により、原稿の２面目画像が読み取られる。原稿の読み取り終了後に、ソレノイドＳＬ２を制御手段９３０（図３）により制御して、偏向板１６を図中破線位置に切り換えておき、モータＭ３，Ｍ２を駆動して駆動ローラ１２をＣＣＷ、反転ローラ１９をＣＷに回転することにより、原稿は、プラテン１０上を図中の右方向に搬送され、ジャンプ台１５，偏向板１６の左側搬送面を通り、(f) →(e) を経て、原稿再積載部Ｅに排出される。
【００５２】
以上が、両面原稿の搬送方法である。
【００５３】
このように、原稿反転パスを、プラテン端部から始って、再びプラテン端部に戻るように構成することで、原稿の反転排紙パスを、両面原稿の反転動作にも用いることにより、原稿搬送パスが共用可能となって、装置の小型化、コストダウン、といったメリットがある。
【００５４】
また、本発明では、原稿搬送部Ｃと、反転排紙部Ｄとを、独立駆動するための一手段として、各々、別々のモータを使って駆動する、といった手段を採用しているが、これとは別に、モータは１つでありながら、この駆動伝達経路にクラッチを設ける、等の方法により独立駆動を実現して、同様の効果が得られるのはいうまでもない。
【００５５】
また、本実施の形態では、原稿の反転を行う時に、反転排紙部Ｄ内に、原稿の搬送方向長さよりも長い紙パス長さを確保してあることで、先行原稿の反転中においても、後行原稿の画像読み取りを行うことができて、原稿交換の効率化を図ることができると共に、原稿再積載部Ｅに排出される原稿の頁順を揃えることができる。
【００５６】
〈実施の形態２〉
本発明の実施の形態２を図２に示す。この、実施の形態２は、実施の形態１の反転排紙部Ｄを変更したものであり、図２により、この反転排紙部Ｄ’を説明する。
【００５７】
まず、片面原稿の搬送動作を説明する。
【００５８】
プラテン（読み取り部）２１０上の所定位置に停止して、画像読み取りを終了した原稿ｄは、原稿搬送部Ｃの駆動ローラ２１４を、モータＭ２０３によりＣＣＷに回動させ、搬送ベルト２１１により、原稿を図中右方向に搬送する。ここで、反転排紙部Ｄ’では、排紙ローラ（第１の搬送手段）２１９，搬送ローラ（第２の搬送手段）２２２ａを駆動するモータ２０２を駆動して、搬送ローラ２２２ａをＣＣＷ、排紙ローラ２１９をＣＣＷに回動させると共に、偏向板（偏向手段）２１６の位置を、実線位置と破線位置とに切り換えるソレノイドＣＬ２０２を制御手段９３０により制御し、偏向板２１６を実線位置に設定して原稿が入って来るのを待たせておく。
【００５９】
原稿は、プラテン２１０，ジャンプ台２１５を経て、不図示のガイド部材又は偏向板に導かれて、搬送ローラ対２２２ａ、２２２ｂの作る搬送ローラニップ部に到達後、後端部を残して一部分を装置本体９００外に排出される。
【００６０】
後続原稿は、モータＭ２０３の駆動制御に伴い、プラテン２１０上の所定位置で停止し、原稿読み取り部２３０により画像の読み取りを受ける。この後続原稿読み取り中に、先行原稿は、スイッチバックして原稿後端側から排紙ローラ２１９へ搬送され、原稿再積載部Ｅに反転した状態で排出される。
【００６１】
プラテン２１０の端部を始点として、搬送ローラ２２２ａを介して排紙ローラ２１９に至るパスで第４の原稿搬送パスが構成されている。
【００６２】
上述のように、原稿先端が、搬送ローラニップ（図中ｃ位置）に到達後、さらに、原稿は図中右方向に搬送され、先端部（一部分）は、原稿搬送装置８００と原稿読み取り部２３０との合わせ部分の隙間から、図２に示すように装置外部に露出する。そして、原稿後端が、偏向板２１６の先端を通過後、搬送ローラニップ(e) 点に至るまでの間に、モータＭ２０２の回転方向を逆転し、搬送ローラ２２２ａ、排紙ローラ２１９を共にＣＷに回動させる。これにより、原稿は、後端側から(b) →(d) →(e) →(f) の第４の原稿搬送パスを経由し、原稿再積載部Ｅに排出される。
【００６３】
こうして、本実施の形態では、実施の形態１のように、装置内に原稿搬送長さよりも長い原稿搬送パスを設けずとも、読み取り部２１０上での後続原稿の画像読み取り中に、反転排紙部Ｄ’において、原稿の反転排紙動作を継続できるようにしたものである。これにより、さらなる装置の小型化、コストダウンが可能になる上に、実施の形態１と同様の生産性向上の効果も得られるものである。
【００６４】
次に、本実施の形態の両面原稿搬送について説明する。
【００６５】
原稿給紙部から原稿搬送部Ｃに送られた原稿は、プラテン２１０上の所定位置で停止して、１面目を読み取られた後、反転排紙部Ｄ’における反転動作に入る。これに伴い、Ｍ２０３、Ｍ２０２の制御により、搬送ベルト２１１の駆動ローラ２１４，搬送ローラ２２２ａを、共にＣＣＷに回動させ、原稿を図中右方向に搬送する。また、ソレノイドＳＬ２０２を制御し、偏向板２１６を実線位置に切り換えて、原稿が入って来るのを待つ。
【００６６】
その後、片面の反転動作と同じ手順で、原稿を搬送ローラ対２２２ａ、２２２ｂのニップ部ｃを経由して、スイッチバック搬送し、原稿の後端が原稿再積載部Ｅに露出し、原稿後端が、ガイド板２１７ｂの端部(e) と、排紙ローラ２１９のニップ(f) との間に来た時点で、再びスイッチバック動作に入る。ここで、モータＭ２０２，Ｍ２０３を逆転し、排紙ローラ２１９をＣＣＷ、搬送ベルト２１１の駆動ローラ２１４をＣＷに回動させる。こうして、原稿先端を(g) →(a) を経由して、原稿を前後を入れ換えてプラテン２１０上に導き、モータＭ２０３を制御して所定位置で停止させる。ここで、２面目の画像が読取手段２３０により画像読み取りされる。２面目の画像の読み取り終了後、原稿排紙動作に入る。これに伴い、モータＭ２０３，Ｍ２０２を回転し、駆動ローラ２１４をＣＣＷ、排紙ローラ２１９をＣＷに回動させて、また、ソレノイドＳＬ２０２を制御して、偏向板２１６を破線位置に切り換えて、原稿をプラテン２１０上から図中右方向に搬送し、ジャンプ台２１５，偏向板２１６の左側搬送面、(g) 、(f) を経由して、原稿を原稿再給紙部Ｅに排出する。以上が、両面原稿の搬送方法である。このようにして、本実施の形態においても、第１実施の形態同様に、反転排紙パスと両面反転パスを共用でき、省スペース、コストダウンが実現できる。
【００６７】
【発明の効果】
以上説明したように、本発明によれば、原稿積載部上の原稿束を上分離して、原稿搬送部の読み取り部へ搬送し、原稿搬送部から排出される先行原稿を、原稿反転排紙部で反転する動作を、後行原稿を読み取り部で読み取り中に可能にしたので、原稿搬送部における原稿交換の時間が短縮できると共に、原稿積載部の装置本体からの突出を解消できて、装置を小型化することができる。
【００６８】
また、原稿反転パスの下流側を、原稿搬送部の一端部に接続させたので、両面原稿を読み取るための反転パスを、反転排紙部の原稿搬送パスを共用して用いることができて、装置のコストダウンを実現できる。
【図面の簡単な説明】
【図１】本発明の実施の形態１に係る原稿搬送装置の縦断正面図。
【図２】本発明の実施の形態２に係る原稿搬送装置の縦断正面図。
【図３】本発明に係る原稿搬送装置が適用可能な画像形成装置本体の縦断正面図。
【図４】従来の原稿搬送装置の一例を示す縦断正面図。
【符号の説明】
Ａ                原稿積載部
Ｂ                原稿給紙部
Ｃ                原稿搬送部
Ｄ，Ｄ’          反転排紙部
Ｅ                原稿再積載部
ｄ                原稿
Ｍ２，Ｍ２０２    反転排紙部の駆動モータ（駆動手段）
Ｍ３，Ｍ２０３    原稿搬送部の駆動モータ（駆動手段）
(a)               プラテンの一端部
(a) 〜(f) ，(a)   第１の原稿搬送パス（図１）
(g) ，(e)         第２の原稿搬送パス
(a) 〜(f)         第３の原稿搬送パス（図２）
(a) ，(g) ，(f)   第４の原稿搬送パス（図２）
１０，２１０      プラテン（原稿読み取り部）
１１，２１１      搬送ベルト
１６，２１６      偏向板（偏向手段）
１８              ガイド
１９，２１９      反転ローラ（第１の搬送手段）
２２ａ            搬送ローラ（第２の搬送手段）
３０，２３０      原稿読み取り手段
２１７ｂ          ガイド板
２２２ａ          搬送ローラ（第３の搬送手段）
３２０            ＣＣＤ
３３０            メモリ
３２０，３３０    画像形成手段
８００            原稿搬送装置
９００            画像形成装置本体
９０２            画像形成部（画像形成手段）
９３０            制御装置（制御手段）
【図１】
0004077957.tif 000002
【図２】
0004077957.tif 000003
【図３】
0004077957.tif 000004
【図４】
0004077957.tif 000005